(57)【要約】【課題】契約エリア以外の他のエリアで使用する際に、該他のエリアにおける周波数測定の時間を短縮すること。【解決手段】位置情報を取得する携帯端末装置は、位置情報を取得した際に、該位置における当該携帯端末装置に設定されたオペレータの周波数を測定する周波数測定部と、該周波数測定部による当該携帯端末装置に設定されたオペレータの周波数測定に基づいて、圏内かどうかを判定するエリア判定部と、位置情報と、該位置情報に対応する位置における判定結果とを対応付けて記録する記録部とを有する。【選択図】図４
2011217266.tif 000002
【特許請求の範囲】
【請求項１】
位置情報を取得する携帯端末装置であって、
前記位置情報を取得した際に、該位置における当該携帯端末装置に設定されたオペレータの周波数を測定する周波数測定部と、
該周波数測定部による当該携帯端末装置に設定されたオペレータの周波数測定に基づいて、圏内かどうかを判定するエリア判定部と、
前記位置情報と、該位置情報に対応する位置における前記エリア判定部による判定結果とを対応付けて記録する記録部と
を有する携帯端末装置。
【請求項２】
請求項１に記載の携帯端末装置において、
前記エリア判定部により圏内であると判定された位置における無線品質を測定する無線品質測定部
を有し、
前記記録部は、前記位置情報と、該位置における前記エリア判定部による判定結果と、前記無線品質測定部により測定された無線品質とを対応付けて記録する携帯端末装置。
【請求項３】
請求項１又は２に記載の携帯端末装置において、
前記周波数測定部は、前記位置情報を取得した際に、該位置における当該携帯端末装置に設定されたオペレータ以外の周波数を測定し、
前記エリア判定部は、前記周波数測定部により当該携帯端末装置に設定されたオペレータ以外のオペレータの周波数測定に基づいて、圏内かどうかを判定し、
前記記録部は、前記位置情報と、該位置における前記エリア判定部による当該携帯端末装置に設定されたオペレータの判定結果、及び当該携帯端末装置に設定されたオペレータ以外のオペレータの判定結果とを対応付けて記録する記録部と
を有する携帯端末装置。
【請求項４】
請求項１ないし３のいずれか１項に記載の携帯端末装置において、
オペレータ毎に、圏内であった割合を求める統計処理部
を有する携帯端末装置。
【請求項５】
請求項１ないし４のいずれか１項に記載の携帯端末装置において、
前記記録部に記録された情報に基づいて、優先して測定すべき周波数を決定する検索周波数選択部
を有する携帯端末装置。
【請求項６】
請求項５に記載の携帯端末装置において、
前記検索周波数選択部は、現在位置から一定距離以内の位置情報に対応する前記エリア判定部による判定結果のうち、圏内と判定された周波数を優先して測定すべき周波数とする携帯端末装置。
【請求項７】
請求項５に記載の携帯端末装置において、
オペレータ毎に、圏内であった割合を求める統計処理部
を有し、
前記検索周波数選択部は、現在位置から一定距離以内の位置情報が無い場合、前記圏内率算出部により算出された圏内率のうち、該圏内率が高いオペレータの周波数順に優先して測定すべき周波数とする携帯端末装置。
【請求項８】
請求項５に記載の携帯端末装置において、
サーバ装置から、他の携帯端末装置に記録された位置情報と、該位置情報に対応する位置におけるオペレータの周波数測定に基づく、圏内かどうかの判定結果とを取得する取得部
を有し、
前記検索周波数選択部は、前記取得部により取得された情報に基づいて、優先して測定すべき周波数を決定する携帯端末装置。
【請求項９】
携帯端末装置から位置情報を受信するサーバ装置であって、
前記携帯端末装置から、前記位置情報とともに、該位置における前記携帯端末装置に設定されたオペレータの周波数測定に基づいて判定された圏内かどうかの判定結果を取得する判定結果取得部と、
該判定結果取得部により取得された判定結果に基づいて、圏内であった割合を求める統計処理部と
を有し、
前記携帯端末装置は、位置情報を取得し、該位置情報を取得した際に、該位置における前記携帯端末装置に設定されたオペレータの周波数を測定し、該周波数測定に基づいて、圏内かどうかを判定し、前記位置情報と、該位置における前記携帯端末装置に設定されたオペレータの周波数測定に基づいて判定された圏内かどうかの判定結果とを送信するサーバ装置。
【発明の詳細な説明】
【技術分野】
【０００１】
本発明は、携帯端末装置に関する。
【背景技術】
【０００２】
携帯端末装置には、契約国以外の国で使用することが可能なものもある。契約国以外の国で使用可能とされる場合、契約国のオペレータと、契約国以外のオペレータとがローミング契約がされていることもある。オペレータにより提供される無線通信方式には、GSM(Global System for Mobile Communications)、WCDMA(Wideband Code Division Multiple Access)が含まれる。さらに、LTE (Long Term Evolution)が含まれてもよい。
【０００３】
該携帯端末装置は、契約国以外の国で、電源が投入された場合には、以下の処理を行う。
【０００４】
該携帯端末装置は、無線電波を検索し、当該携帯端末装置が通信可能なオペレータを検出する。通信可能とされるオペレータの周波数を検出できた場合、該携帯端末装置は、該周波数により送信される報知情報を受信する。該報知情報には、通信を開始するために必要な情報が含まれる。例えば、NWオペレータの名称などが含まれてもよい。該報知情報は、基地局から常に送信される。該携帯端末装置は、報知情報に含まれるオペレータに接続を要求する。該携帯端末装置は、圏外に位置する場合でも同様の処理を行う。
【０００５】
各国において、携帯端末装置に割り当てられる周波数帯は異なることがある。各国において携帯端末装置に割り当てられる周波数帯が異なる場合、海外出張先で携帯端末装置の電源を投入したとしても、該海外出張先において携帯端末装置に割り当てられている周波数帯が出張元において携帯端末装置に割り当てられている周波数帯と同じであるとは限らないため、該海外出張先において携帯端末装置に割り当てられている周波数帯から周波数測定（サーチ）が開始されるとは限らない。電源が投入されたときには、携帯端末装置は地球上の位置を把握できないため、当該携帯端末装置の位置する国を把握できないためである。
【先行技術文献】
【非特許文献】
【０００６】
【非特許文献１】3GPP TS25.214 V9.1.0, 2009 12
【発明の概要】
【発明が解決しようとする課題】
【０００７】
図１は、各国において、携帯端末装置に割り当てられている周波数帯の一例である。図１において、横軸は周波数を示す。
【０００８】
図１によれば、携帯端末装置に割り当てられている周波数帯は、ハワイでは850MHz帯、香港では2GHz帯、日本では800MHz帯、1.7GHz帯、及び2GHz帯である。例えば、海外出張先が香港であり、該香港で携帯端末装置の電源が投入された場合、2GHz帯から周波数測定が開始されることが好ましいが、850MHzから高周波数帯へと周波数測定が開始されることもある。
【０００９】
携帯端末装置が、各エリア（国）において携帯端末装置に割り当てられている周波数帯とは異なる周波数から測定する場合には、該周波数測定が開始されてから、該携帯端末装置が使用可能な状態になるまでに時間がかかる。携帯端末装置に割り当てられていない周波数帯の周波数が測定されるためである。該携帯端末装置は、周波数測定を開始してから、携帯端末装置に割り当てられている周波数帯を測定し、該携帯端末装置に割り当てられている周波数帯から在圏すべきネットワークを検出し、待ち受け状態に遷移する。
【００１０】
また、携帯端末装置に割り当てられていない周波数帯の周波数を測定するため、該周波数測定のためにバッテリーも余計に消費する。
【００１１】
3GPPの仕様では、周波数測定の際に、測定すべき周波数帯の順番については規定されていない。
【００１２】
本発明は、上述した問題点に鑑みてなされたものであり、その目的は、契約エリア以外の他のエリアで使用する際に、該他のエリアにおける周波数測定の時間を短縮することができる携帯端末装置及びサーバ装置を提供することにある。
【課題を解決するための手段】
【００１３】
本携帯端末装置は、
位置情報を取得する携帯端末装置であって、
前記位置情報を取得した際に、該位置における当該携帯端末装置に設定されたオペレータの周波数を測定する周波数測定部と、
該周波数測定部による当該携帯端末装置に設定されたオペレータの周波数測定に基づいて、圏内かどうかを判定するエリア判定部と、
前記位置情報と、該位置情報に対応する位置における前記エリア判定部による判定結果とを対応付けて記録する記録部と
を有する。
【００１４】
本サーバ装置は、
携帯端末装置から位置情報を受信するサーバ装置であって、
前記携帯端末装置から、前記位置情報とともに、該位置における前記携帯端末装置に設定されたオペレータの周波数測定に基づいて判定された圏内かどうかの判定結果を取得する判定結果取得部と、
該判定結果取得部により取得された判定結果に基づいて、圏内であった割合を求める統計処理部と
を有し、
前記携帯端末装置は、位置情報を取得し、該位置情報を取得した際に、該位置における前記携帯端末装置に設定されたオペレータの周波数を測定し、該周波数測定に基づいて、圏内かどうかを判定し、前記位置情報と、該位置における前記携帯端末装置に設定されたオペレータの周波数測定に基づいて判定された圏内かどうかの判定結果とを送信する。
【発明の効果】
【００１５】
開示の携帯端末装置及びサーバ装置によれば、契約エリア以外の他のエリアで使用する際に、該他のエリアにおける周波数測定の時間を短縮することができる。
【図面の簡単な説明】
【００１６】
【図１】各国において、携帯端末装置に割り当てられている周波数帯の一例を示す説明図である。
【図２】本実施例に従った携帯端末装置が適用されるシステムの一例を示す説明図である。
【図３】本実施例に従った携帯端末装置を示すハードウェアの一例を示す構成図である。
【図４】本実施例に従った携帯端末装置を示す機能ブロック図である。
【図５】本実施例に従った携帯端末装置により記憶される情報の一例を示す説明図である。
【図６】本実施例に従った携帯端末装置の動作を示すフローチャートである。
【図７】本実施例に従った携帯端末装置を示す機能ブロック図である。
【図８】本実施例に従った携帯端末装置により記憶される情報の一例を示す説明図である。
【図９】本実施例に従った携帯端末装置が適用されるシステムの一例を示す説明図である。
【図１０】本実施例に従った携帯端末装置により記憶される情報の一例を示す説明図である。
【図１１】本実施例に従った携帯端末装置を示す機能ブロック図である。
【図１２】本実施例に従った携帯端末装置により記憶される情報の一例を示す説明図である。
【図１３】本実施例に従った携帯端末装置の動作を示すフローチャートである。
【図１４】本実施例に従った携帯端末装置の動作を示すフローチャートである。
【図１５】本実施例に従った携帯端末装置が適用されるシステムの一例を示す説明図である。
【図１６】本実施例に従った携帯端末装置を示す機能ブロック図である。
【図１７】本実施例に従った携帯端末装置により記憶される情報の一例を示す説明図である。
【図１８】本実施例に従った携帯端末装置の動作を示すフローチャートである。
【図１９】本実施例に従った携帯端末装置の動作を示すフローチャートである。
【発明を実施するための形態】
【００１７】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１８】
＜第１の実施例＞
＜システム＞
本実施例に従った携帯端末装置１００が適用されるシステムについて説明する。
【００１９】
図２は、本携帯端末装置１００が適用されるシステムを示す。
【００２０】
該システムには、携帯端末装置１００が含まれる。該システムには、基地局２００が含まれる。該システムには、GPS(Global Positioning System)衛星３００ｌ（ｌは、ｌ＞０の整数）が含まれる。図２には、一例として、ｌ＝２の場合が示される。
【００２１】
本携帯端末装置１００は、GPS受信装置を有する。該GPS受信装置は、GPS衛星により送信される測位信号に基づいて、測位を行う。
【００２２】
＜本携帯端末装置＞
図３は、本実施例に従った携帯端末装置１００を示す。図３には、主にハードウェア構成が示される。
【００２３】
本携帯端末装置１００は、入力部１０２と、出力部１０４と、通信制御部１０６と、無線部１０８と、記憶部１１０と、中央演算処理装置(CPU:  Central Processing Unit)１１２と、GPS受信装置１１４とを有する。各機能ブロックは、バス１５０により接続される。本実施例では、一例として、携帯端末装置１００について説明される。携帯端末装置１００に限らず、GPS受信装置１１４を有する端末装置であれば適用できる。例えば、携帯情報端末(PDA:  Personal  Digital  Assistants)などに適用できる。
【００２４】
中央演算処理装置１１２は、入力部１０２、出力部１０４、通信制御部１０６、無線部１０８、記憶部１１０、及びGPS受信装置１１４の制御を行う。中央演算処置装置１１２は、記憶部１１０に記憶されたプログラムに従って機能し、所定の処理を行う。
【００２５】
記憶部１１０は、アプリケーションと、オペレーティングシステム(OS:  Operating  System)とを有する。アプリケーションは、ユーザが本携帯端末装置１００上で実行する作業を実施する機能を有するソフトウェアである。オペレーティングシステムは、本携帯端末装置１００において、ハードウェアを抽象化したインターフェースをアプリケーションソフトウェアに提供するソフトウェアである。
【００２６】
入力部１０２は、例えば、キーボードやマウスにより構成され、当該携帯端末装置１００への指示や、データの入力を行うための装置である。また、入力部１０２は、例えば、マイクにより構成され、ユーザにより発せられた音声を入力する。該音声には、当該携帯端末装置１００への指示が含まれてもよい。該指示には、オペレーティングシステムに対するものや、アプリケーションに対するものが含まれる。
【００２７】
出力部１０４は、例えば、ディスプレイにより構成され、当該携帯端末装置１００による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ(Liquid Crystal Display :LCD)、CRT(Cathode  Ray  Tube)ディスプレイ、プラズマ(PDP:  Plasma  Display  Panel)ディスプレイ、有機EL(Electro-Luminescence)ディスプレイなどが含まれる。
【００２８】
通信制御部１０６は、当該携帯端末装置１００を接続すべきNWと接続するための制御情報を生成し、また、接続すべき基地局により送信された制御情報を解析する。また、通信制御部１０６は、無線部１０８により受信されるべき信号に基づいて、周波数測定を行う。該周波数測定は、周波数サーチ（検索）とも呼ばれる。周波数測定では、周波数帯が測定される。周波数帯測定と呼ばれてもよい。
【００２９】
無線部１０８は、中央演算処理装置１０２による制御により、基地局２００との間で、所定の無線通信方式により無線通信を行う。該無線通信方式には、GSM、W-CDMAが含まれる。また、LTEが含まれてもよい。例えば、通信制御部１０６により生成された制御情報を無線信号に変換して送信する。また、基地局２００からの無線信号をベースバンド信号に変換する。
【００３０】
GPS受信装置１１４は、GPS衛星３００ｌにより送信される測位信号に基づいて、当該携帯端末装置１００の位置を測位する。位置情報は、経度、緯度により表されてもよい。さらに、位置情報は、高度により表されてもよい。現在、約30個のGPS衛星３００ｌが高度約20,000kmの上空で地球を一周しており、55度ずつ傾いた6つの地球周回軌道面があり、各々の軌道面に4個以上のGPS衛星３００ｌが均等に配置されている。従って、天空が開けている場所であれば、地球上のどの場所にいても、常時、少なくとも5個以上のGPS衛星３００ｌが観測可能である。
【００３１】
＜本携帯端末装置の機能＞
本携帯端末装置１００により実行される処理には、当該携帯端末装置１００の位置を測定する処理が含まれる。また、本携帯端末装置１００により実行される処理には、当該携帯端末装置１００が在圏するオペレータのエリアであるかどうかを判定する処理が含まれる。該在圏するオペレータとは、当該携帯端末装置１００に予め登録されたオペレータであってもよい。該判定は、当該携帯端末装置１００が在圏するオペレータの圏内であるかどうかを判定することが含まれる。また、本携帯端末装置１００により実行される処理には、当該携帯端末装置１００により測定された位置情報とともに、当該携帯端末装置１００が在圏するオペレータのエリアであるかどうかの判定結果を記録する処理が含まれる。以下、該記録された情報をエリア判定情報と呼ぶ。在圏するオペレータのエリアであると判定された場合に、該在圏するオペレータのエリアであると判定された際に使用された周波数情報を記録するのが好ましい。
【００３２】
また、本携帯端末装置１００により実行される処理には、該エリア判定情報に基づいて、当該携帯端末装置１００のセルラの電源がオンにされた際に、該携帯端末装置１００の現在位置に近い位置であって、且つ圏内であると記録されている周波数から優先して測定（検索）を行う処理が含まれる。
【００３３】
図４は、本携帯端末装置１００の機能を示す機能ブロック図である。図４には、中央演算処理装置１１２により実行される機能が主に示される。図４に示される各機能ブロックは、バス１１２０により接続される。
【００３４】
本携帯端末装置１００は、位置情報取得部１１２２を有する。位置情報取得部１１２２は、当該携帯端末装置１００の位置情報を取得するために、GPS受信装置１１４に、測位を行わせる。該測位は定期的に行わせてもよいし、不定期に行わせるようにしてもよい。位置情報取得部１１２２は、GPS受信装置１１４により測位された位置情報を記録部１１０に格納する。
【００３５】
本携帯端末装置１００は、エリア判定部１１２４を有する。エリア判定部１１２４は、位置情報取得部１１２２により位置情報が取得された際に、当該携帯端末装置１００が、在圏するオペレータのエリアにいるかどうかを判定する。例えば、エリア判定部１１２４は、通信制御部１０６に周波数測定を行わせ、該周波数測定の結果に基づいて、在圏すべきオペレータの圏内であるかどうかを判定する。エリア判定部１１２４は、位置情報取得部１１２２により取得されるべき位置情報と対応付けて、該判定結果を記憶部１１０に格納する。該判定結果には、圏内であるかどうかを示す情報（以下、「圏内情報」と呼ぶ）が含まれる。また、該判定結果には、在圏するオペレータのエリアであると判定された際に使用された周波数情報、換言すれば、測定された周波数情報が含まれてもよい。
【００３６】
図５は、記憶部１１０に記憶されるべきエリア判定情報の一例を示す。
【００３７】
記憶部１１０には、位置情報取得部１１２２により取得されるべき位置情報（図５では、「地点」により示される）と、エリア判定部１１２４により判定されるべき該位置情報に対応する位置における在圏すべきオペレータの圏内情報が格納される。図５に示されるように、位置情報は、東経、北緯、高度により示されてもよい。また、圏内情報には、在圏するオペレータのエリアであると判定された際に測定された周波数情報が含まれる。また、在圏するオペレータのエリアであると判定されない場合に、該判定の際に使用された周波数情報が記録されてもよい。
【００３８】
本携帯端末装置１００は、検索周波数選択部１１２６を有する。検索周波数選択部１１２６は、記憶部１１０に記録されたエリア判定情報に基づいて、現在位置から一定距離以内の位置に対応する圏内情報のうち圏内である判定された周波数を選択し、周波数測定の際に優先すべき周波数として設定する。
【００３９】
＜本携帯端末装置の動作＞
図６は、本携帯端末装置１００の動作の一例を示すフローチャートである。本フローチャートでは、携帯端末装置１００は、図５に示されるエリア判定情報を予め取得している。
【００４０】
携帯端末装置１００のセルラ電源がオフにされている状態で、セルラの電源がオンにされる（ステップＳ６０２）。本携帯端末装置１００は、セルラ電源がオフである場合でも、GPS受信装置１１４を起動できる。GPS受信装置１１４のみを起動できるため、セルラ電源がオフであるときでも位置情報を取得できる。
【００４１】
携帯端末装置１００は、現在位置と一定距離以内に圏内情報が取得されている地点があるかどうかを判定する（ステップＳ６０４）。例えば、検索周波数選択部１１２６は、位置情報取得部１１２２に、現在位置情報を取得させる。位置情報取得部１１２２は、検索周波数選択部１１２６による命令に従って、GPS受信装置１１４から現在の位置情報を取得し、該現在の位置情報を検索周波数選択部１１２６に通知する。検索周波数選択部１１２６は、現在位置に基づいて、記憶部１１０に格納されたエリア判定情報を参照し、現在位置と一定距離以内に圏内情報が取得されている地点があるかどうかを判定する。
【００４２】
現在位置と一定距離以内に圏内情報が取得されている地点があると判定された場合（ステップＳ６０４：ＹＥＳ）、携帯端末装置１００は、圏内情報に、圏内があるかどうかを判定する（ステップＳ６０６）。例えば、検索周波数選択部１１２６は、現在位置と一定距離以内に圏内情報が取得されている地点があると判定した場合、圏内情報に、圏内とされているものがあるかどうかを判定する。
【００４３】
圏内情報に、圏内とされているものがあると判定された場合（ステップＳ６０６：ＹＥＳ）、携帯端末装置１００は、圏内とされている周波数を優先検索候補に設定する（ステップＳ６０８）。例えば、検索周波数選択部１１２６は、圏内とされているものがあると判定された場合、圏内とされている周波数を優先検索候補に設定する。記憶部１１０に格納されている情報には、圏内と判定された場合、該判定の際に測定された周波数情報が含まれる。従って、圏内と判定された場合には、該圏内の周波数情報を取得できる。
【００４４】
携帯端末装置１００は、ステップＳ６０８により設定された優先検索候補とされた周波数から周波数測定（サーチ）を行う（ステップＳ６１０）。例えば、通信制御部１０６は、検索周波数選択部１１２６により設定された優先検索候補とされた周波数から周波数測定を行う。
【００４５】
一方、ステップＳ６０４により現在位置と一定距離以内に圏内情報が取得されている地点があると判定されない場合（ステップＳ６０４：ＮＯ）、及びステップＳ６０６により圏内情報に、圏内とされているものがないと判定された場合（ステップＳ６０６：ＮＯ）、携帯端末装置１００は、国データベースを参照し、現在位置に該当する国を識別する（ステップＳ６１２）。ここで、国データベースには、国と、該国における代表地点の情報とが含まれる。各国に複数の代表地点が対応するようにしてもよい。該国データベースは、記憶部１１０に予め格納されるようにしてもよい。例えば、検索周波数選択部１１２６は、国データベースを参照し、現在位置と一定距離以内の代表地点に対応する国を検索することにより、在圏している国を識別する。
【００４６】
携帯端末装置１００は、オペレータデータベースを参照し、ステップＳ６１２により識別した国で運用されているオペレータ情報を取得し、該オペレータが運用している周波数帯を特定する（ステップＳ６１４）。ここで、オペレータデータベースには、国と、該国で無線通信サービスを提供しているオペレータとが対応付けられている。さらに、該オペレータが無線通信サービスを提供する運用周波数帯が対応付けられている。該オペレータデータベースは、記憶部１１０に予め格納されるようにしてもよい。例えば、検索周波数選択部１１２６は、オペレータデータベースを参照し、ステップＳ６１２により識別した国で無線通信サービスを提供しているオペレータ情報を取得し、該オペレータが無線通信サービスを提供する運用周波数帯を特定する。検索周波数選択部１１２６は、該運用周波数帯を優先検索候補に設定する。
【００４７】
携帯端末装置１００は、ステップＳ６１４により設定された運用周波数帯から周波数測定を行う（ステップＳ６１６）。例えば、通信制御部１０６は、検索周波数選択部１１２６により設定された運用周波数帯から周波数測定を行う。
【００４８】
本実施例において、圏外から圏内に復帰する際に、ステップＳ６０４からステップＳ６１６の処理が行われるようにしてもよい。
【００４９】
本実施例によれば、電源が投入された際又は圏外から圏内に復帰する際に、携帯端末装置に格納された位置情報（地点）と圏内情報とに基づいて、圏内情報が圏内とされている周波数帯から周波数測定を行うことができるため、サービスが提供されている可能性が高い周波数帯から周波数測定を行うことができる。サービスが提供されている可能性が高い周波数帯から周波数測定を行うことができるため、電源が投入されてから圏内となるまでの時間を短縮でき、サービスを向上させることができる。また、周波数測定すべき周波数帯を制限できるため、消費電力を低減できる。
【００５０】
＜変形例（その１）＞
＜システム＞
本変形例に従った携帯端末装置が適用されるシステムは、図２を参照して説明したシステムと同様である。
【００５１】
＜本携帯端末装置＞
本携帯端末装置１００は、図３により説明される。
【００５２】
＜本携帯端末装置の機能＞
本携帯端末装置１００により実行される処理には、上述した処理に加え、当該携帯端末装置１００が在圏するオペレータのエリアであるかどうかを判定する処理の際に、在圏するオペレータのエリアであると判定した場合に、該在圏するオペレータとの間の無線品質を取得する処理が含まれる。また、本携帯端末装置１００により実行される処理には、当該携帯端末装置１００により測定された位置情報とともに、当該携帯端末装置１００が在圏するオペレータのエリアであるかどうかの判定結果、及び無線品質を記録する処理が含まれる。在圏するオペレータのエリアであると判定された場合に、該在圏するオペレータのエリアであると判定した際に使用された周波数情報を記録するのが好ましい。
【００５３】
また、本携帯端末装置１００により実行される処理には、該記録された情報に基づいて、当該携帯端末装置１００のセルラの電源がオンにされた際又は圏外から圏内に復帰する際に、該携帯端末装置１００の現在位置に近い位置であって、且つ圏内であると記録されている周波数から優先して測定を行う処理が含まれる。本変形例では、圏内であると記録されている周波数が複数ある場合に、無線品質のよい周波数から周波数測定を行う。
【００５４】
図７は、本携帯端末装置１００の機能を示す機能ブロック図である。図７には、中央演算処理装置１０２により実行される機能が主に示される。図７に示される各機能ブロックは、バス１１２０により接続される。
【００５５】
本携帯端末装置１００は、図４に示される機能ブロック図に、無線品質取得部１１２８を加えたものである。
【００５６】
無線品質取得部１１２８は、エリア判定部１１２４により在圏するオペレータのエリアにいるかどうかが判定される際に、無線品質を取得する。例えば、エリア判定部１１２４により、無線部１０８により受信される無線電波に基づいて在圏すべきオペレータの圏内であるかどうかが判定される際に、該在圏すべきオペレータの圏内であると判定された場合に、該オペレータの基地局により送信される電波の無線品質を取得する。該無線品質は、希望波受信電力(RSCP: Received Signal Code Power)が含まれてもよい。
【００５７】
図８は、記憶部１１０に記憶されるべきエリア判定情報の一例を示す。
【００５８】
記憶部１１０には、位置情報取得部１１２２により取得されるべき位置情報（地点）と、エリア判定部１１２４により判定されるべき該位置情報に対応する在圏すべきエリアの圏内情報と、無線品質取得部３０８により取得されるべき無線品質が格納される。図８に示されるように、無線品質は「dBm」により表されてもよい。
【００５９】
検索周波数選択部１１２６は、記憶部１１０に記録されたエリア判定情報に基づいて、現在位置から一定距離以内の位置に対応する圏内情報のうち圏内であると判定された周波数を、周波数測定の際に優先すべき周波数として選択する。該選択の際に、圏内であると判定された周波数が複数ある場合には、無線品質のよい周波数から周波数測定の際に優先すべき周波数として選択する。
【００６０】
＜本携帯端末装置の動作＞
本携帯端末装置１００の動作は、図６のフローチャートにより説明される。
【００６１】
ステップＳ６０８により圏内とされている周波数を優先検索候補に設定する際に、圏内とされている周波数が複数ある場合には、無線品質のよい周波数から順に優先検索候補に設定する。
【００６２】
本変形例によれば、電源が投入された際又は圏外から圏内に復帰する際に、携帯端末装置に格納された位置情報と圏内情報とに基づいて、圏内情報が圏内とされている周波数帯から周波数測定を行うことができるため、サービスが提供されている可能性が高い周波数帯から周波数測定を行うことができる。サービスが提供されている可能性が高い周波数帯から周波数測定を行うことができるため、電源が投入されてから圏内となるまでの時間を短縮でき、サービスを向上させることができる。また、周波数測定すべき周波数帯を制限できるため、消費電力を低減できる。さらに、サービスが提供されている可能性が高い周波数帯が複数ある場合に、無線品質のよい周波数帯から周波数測定を行うことができるため、電源が投入されてから圏内となるまでの時間をさらに短縮できる。
【００６３】
＜変形例（その２）＞
＜システム＞
図９は、本携帯端末装置１００が適用されるシステムを示す。
【００６４】
該システムには、携帯端末装置１００が含まれる。該システムには、基地局２００ｎ（ｎは、ｎ＞０の整数）が含まれる。図９には、一例として、ｎ＝２の場合が示される。該システムには、GPS(Global Positioning System)衛星３００ｌが含まれる。
【００６５】
本携帯端末装置１００は、GPS受信装置１１４を有する。該GPS受信装置１１４は、GPS衛星３００ｌにより送信される測位信号に基づいて、測位を行う。
【００６６】
＜本携帯端末装置＞
本携帯端末装置１００は、図３により説明される。
【００６７】
＜本携帯端末装置の機能＞
本携帯端末装置１００により実行される処理には、上述した実施例の処理に加え、当該携帯端末装置１００が現在在圏しないオペレータ（以下、「非在圏オペレータ」と呼ぶ）のエリアであるかどうかを判定する処理が含まれる。該非在圏オペレータとは、当該携帯端末装置１００に予め登録されたオペレータ以外のオペレータであってもよい。該判定は、当該携帯端末装置１００が非在圏オペレータの圏内であるかどうかを判定する処理が含まれる。また、本携帯端末装置１００により実行される処理には、当該携帯端末装置１００により測定された位置情報とともに、当該携帯端末装置１００が在圏するオペレータのエリアであるかどうかの判定結果と、当該携帯端末装置１００が非在圏オペレータのエリアであるかどうかの判定結果とを記録する処理が含まれる。在圏するオペレータのエリアであると判定された場合に、該在圏するオペレータのエリアであると判定された際に使用された周波数情報を記録するのが好ましい。非在圏オペレータのエリアであると判定された場合に、該非在圏オペレータのエリアであると判定された際に使用された周波数情報を記録するのが好ましい。
【００６８】
また、本携帯端末装置１００により実行される処理には、該記録されたエリア判定情報に基づいて、当該携帯端末装置１００のセルラの電源がオンにされた際又は圏外から圏内に復帰する際に、該携帯端末装置１００の現在位置に近い位置であって、且つ圏内であると記録されているオペレータから優先して測定を行う処理が含まれる。
【００６９】
本携帯端末装置１００の機能は、図４に示される機能ブロック図により説明される。
【００７０】
エリア判定部１１２４は、位置情報取得部１１２２により位置情報が取得された際に、当該携帯端末装置１００が、在圏するオペレータのエリアにいるかどうかを判定する。また、エリア判定部１１２４は、位置情報取得部１１２２により位置情報が取得された際に、当該携帯端末装置１００が、非在圏オペレータのエリアにいるかどうかを判定する。例えば、エリア判定部１１２４は、通信制御部１０６に周波数測定を行わせ、該周波数測定の結果に基づいて、在圏すべきオペレータの圏内であるかどうかを判定する。また、例えば、エリア判定部１１２４は、通信制御部１０６に周波数測定を行わせ、該周波数測定の結果に基づいて、非在圏オペレータの圏内であるかどうかを判定する。エリア判定部１１２４は、位置情報取得部１１２２により取得されるべき位置情報と対応付けて、該判定結果を記憶部１１０に格納する。該判定結果には、圏内情報が含まれる。また、該判定結果には、在圏すべきオペレータの圏内であると判定された際及び非在圏オペレータの圏内であると判定された際に使用された周波数情報、換言すれば、周波数測定の際に使用された周波数情報が含まれてもよい。また、在圏すべきオペレータの圏内であると判定されない際及び非在圏オペレータの圏内であると判定されない際に使用された周波数情報が記録されてもよい。
【００７１】
図１０は、記憶部１１０に記憶されるべきエリア判定情報の一例を示す。
【００７２】
記憶部１１０には、位置情報取得部１１２２により取得されるべき位置情報（地点）と、エリア判定部１１２４により判定されるべき該位置情報に対応する在圏すべきエリアの圏内情報と、エリア判定部１１２４により判定されるべき該位置情報に対応する非在圏エリアの圏内情報とが格納される。図１０には示されていないが、圏内と判定された場合には、該圏内と判定された際に周波数測定に使用された周波数情報も記録される。圏内と判定されない場合に、該圏内と判定されない際に周波数測定に使用された周波数情報も記録されてもよい。
【００７３】
検索周波数選択部１１２６は、記憶部１１０に記録されたエリア判定情報に基づいて、現在位置から一定距離以内の位置に対応する圏内情報のうち圏内である判定されたオペレータを、周波数測定の際に優先すべきオペレータとして選択する。
【００７４】
＜本携帯端末装置の動作＞
本携帯端末装置の動作は、図６のフローチャートにより説明される。
【００７５】
ステップＳ６０６では、圏内情報に、圏内とされているオペレータがあるかどうかを判定する。例えば、検索周波数選択部１１２６は、現在位置と一定距離以内に圏内情報が取得されている地点があると判定した場合、圏内情報に、圏内とされているオペレータがあるかどうかを判定する。
【００７６】
ステップＳ６０８では、ステップＳ６０６により圏内情報に圏内とされているオペレータがあると判定された場合に、携帯端末装置１００は、圏内とされているオペレータを優先検索候補に設定する。例えば、検索周波数選択部１１２６は、圏内とされているオペレータがあると判定された場合、圏内とされているオペレータを優先検索候補に設定する。
【００７７】
ステップＳ６１０では、携帯端末装置１００は、ステップＳ６０８により設定された優先検索候補とされたオペレータから周波数測定を行う。例えば、通信制御部１０６は、検索周波数選択部１１２６により設定された優先検索候補とされたオペレータから周波数測定を行う。
【００７８】
本変形例によれば、電源が投入された際又は圏外から圏内に復帰する際に、携帯端末装置に格納された位置情報と圏内情報とに基づいて、圏内情報が圏内とされているオペレータから周波数測定を行うことができるため、サービスが提供されている可能性が高いオペレータから周波数測定を行うことができる。サービスが提供されている可能性が高いオペレータから周波数測定を行うことができるため、電源が投入されてから圏内となるまでの時間を短縮でき、サービスを向上させることができる。また、周波数測定すべきオペレータを制限できるため、消費電力を低減できる。
【００７９】
また、本変形例と、変形例（その１）とを組み合わせるようにしてもよい。該組み合わせによりオペレータ毎に、圏内情報と無線品質の情報とを取得できる。圏内情報と無線品質の情報とを取得できるため、圏内とされているオペレータを優先検索候補に設定する際に、圏内とされているオペレータが複数ある場合には、無線品質のよいオペレータから優先検索候補に設定することができる。さらに、サービスが提供されている可能性が高いオペレータが複数ある場合に無線品質のよいオペレータから周波数測定を行うことができるため、電源が投入されてから圏内となるまでの時間をさらに短縮できる。
【００８０】
＜変形例（その３）＞
＜システム＞
本携帯端末装置１００が適用されるシステムは、図９により説明される。
【００８１】
＜本携帯端末装置＞
本携帯端末装置１００は、図３により説明される。
【００８２】
＜本携帯端末装置の機能＞
本携帯端末装置１００により実行される処理には、上述した変形例（その２）の処理に加え、以下の処理が実行される。本携帯端末装置１００により実行される処理には、当該携帯端末装置１００により測定された位置情報とともに、当該携帯端末装置１００が在圏するオペレータのエリアであるかどうかの判定結果と、当該携帯端末装置１００が非在圏オペレータのエリアであるかどうかの判定結果を記録する処理が行われた後に、オペレータ毎に、統計処理を行うことが含まれる。該統計処理には、圏内率を算出する処理が含まれる。圏内率以外が算出されてもよい。ここで、圏内率とは、圏内情報が取得された際に、該圏内情報が圏内であった割合を示す。圏内率は、「圏内率＝（測位時に圏内であった地点の数）／（測位地点の総数）」により表される。該式は一例であり、適宜変更可能である。
【００８３】
また、本携帯端末装置１００により実行される処理には、該記録されたエリア判定情報に基づいて、当該携帯端末装置１００のセルラの電源がオンにされた際又は圏外から圏内に復帰する際に、圏内率の高いオペレータから優先して周波数測定を行う処理が含まれる。該携帯端末装置１００の現在位置に近い位置である地点の情報がない場合に、圏内率を比較し、圏内率の高いオペレータから優先して周波数測定を行うようにしてもよい。
【００８４】
図１１は、本携帯端末装置１００の機能を示す機能ブロック図である。図１１には、中央演算処理装置１０２により実行される機能が主に示される。図１１に示される各機能ブロックは、バス１１２０により接続される。
【００８５】
本携帯端末装置１００は、図４に示される機能ブロック図に、統計処理部１１３０を加えたものである。
【００８６】
統計処理部１１３０は、記憶部１１０に、位置情報と、在圏すべきオペレータの圏内情報と、非在圏オペレータの在圏情報とが格納された後に、圏内率を算出する。統計処理部１１３０は、オペレータ毎に算出された圏内率を記憶部１１０に格納されるべきエリア判定情報に記憶する。
【００８７】
図１２は、記憶部１１０に記憶されるべきエリア判定情報の一例を示す。
【００８８】
記憶部１１０には、位置情報取得部１１２２により取得されるべき位置情報と、エリア判定部１１２４により判定されるべき該位置情報に対応する在圏すべきエリアの圏内情報と、エリア判定部１１２４により判定されるべき該位置情報に対応する非在圏エリアの圏内情報と、統計処理部１１３０により算出されるべき圏内率とが格納される。図１２には示されていないが、圏内と判定された場合には、該圏内と判定された際に周波数測定に使用された周波数情報も記録される。圏内と判定されない場合に、該圏内と判定されない際に周波数測定に使用された周波数情報も記録されてもよい。
【００８９】
検索周波数選択部１１２６は、記憶部１１０に記録された情報に基づいて、現在位置から一定距離以内の位置に対応する圏内情報がない場合、圏内率の高いオペレータを、周波数測定の際に優先すべきオペレータとして選択する。
【００９０】
＜本携帯端末装置の動作＞
図１３、及び図１４は、本携帯端末装置１００の動作を示すフローチャートである。
【００９１】
図１３には、圏内情報を取得する処理が示される。
【００９２】
携帯端末装置１００は、タイマＴを起動する。例えば、位置情報取得部１１２２は、タイマＴを有する。該タイマには、当該携帯端末装置１００が、GPS受信装置１１４に位置を取得させるべき時間間隔が設定される。該時間間隔は、固定値としてもよい。該時間間隔は、適宜設定可能である。位置情報取得部１１２２は、タイマＴを起動する。
【００９３】
携帯端末装置１００により設定されたタイマＴが満了する（ステップＳ１３０４）。例えば、位置情報取得部１１２２は、ステップＳ１３０２により起動したタイマＴが満了したことを認識する。
【００９４】
携帯端末装置１００は、現在位置を測定する（ステップＳ１３０６）。例えば、位置情報取得部１１２２は、ステップＳ１３０４によりタイマＴが満了したことを認識すると、GPS受信装置１１４に位置情報を取得させる。
【００９５】
携帯端末装置１００は、オペレータ毎に、圏内情報を取得する（ステップＳ１３０８）。例えば、エリア判定部１１２４は、当該携帯端末装置１００が、在圏するオペレータのエリアにいるかどうか、また、当該携帯端末装置１００が、非在圏オペレータのエリアにいるかどうかを判定する。エリア判定部１１２４は、位置情報取得部１１２２により取得されるべき位置情報と対応付けて、該判定結果を記憶部１１０に格納する。該判定結果には、圏内情報が含まれる。また、該判定結果には、判定の際に使用された周波数情報が含まれてもよい。
【００９６】
携帯端末装置１００は、記憶部１１０に記憶された情報に基づいて、統計処理を行う（ステップＳ１３１０）。例えば、統計処理部１１３０は、オペレータ毎に、圏内率を算出する。
【００９７】
携帯端末装置１００は、ステップＳ１３１０により算出された圏内率を記憶部１１０に格納する（ステップＳ１３１２）。例えば、統計処理部３１０は、オペレータと対応付けて、圏内率を記憶部１１０に格納する。
【００９８】
携帯端末装置１００は、ステップＳ１３１２により圏内率を記憶部１１０に格納した後、ステップＳ１３０２に戻る。タイマＴを起動する処理から処理を行う。
【００９９】
図１４は、図１３に示されるフローチャートにより圏内率の情報が記憶部１１０に格納された後、記憶部１１０に格納されたエリア判定情報を用いて、優先して測定すべきオペレータの候補を選択する処理を示す。
【０１００】
本携帯端末装置１００のセルラ電源がオフにされている状態で、セルラの電源がオンにされる（ステップＳ１４０２）。本携帯端末装置１００は、セルラ電源がオフである場合でも、GPS受信装置１１４を起動できる。GPS受信装置１１４のみを起動できるため、セルラ電源がオフであるときでも位置情報を取得できる。
【０１０１】
本携帯端末装置１００は、現在位置と一定距離以内に圏内情報が取得されている地点があるかどうかを判定する（ステップＳ１４０４）。例えば、検索周波数選択部１１２６は、位置情報取得部１１２２に、現在位置情報を取得させる。位置情報取得部１１２２は、検索周波数選択部１１２６による命令に従って、現在の位置情報を取得し、該現在の位置情報を検索周波数選択部１１２６に通知する。検索周波数選択部１１２６は、現在位置に基づいて、記憶部１１０に格納されたエリア判定情報を参照し、現在位置と一定距離以内に圏内情報が取得されている地点があるかどうかを判定する。
【０１０２】
現在位置と一定距離以内に圏内情報が取得されている地点があると判定された場合（ステップＳ１４０４：ＹＥＳ）、本携帯端末装置１００は、圏内情報に、圏内があるかどうかを判定する（ステップＳ１４０６）。例えば、検索周波数選択部１１２６は、現在位置と一定距離以内に圏内情報が取得されている地点があると判定した場合、圏内情報に、圏内とされているものがあるかどうかを判定する。
【０１０３】
圏内情報に、圏内とされているものがあると判定された場合（ステップＳ１４０６：ＹＥＳ）、本携帯端末装置１００は、圏内とされているオペレータを優先検索候補に設定する（ステップＳ１４０８）。例えば、検索周波数選択部１１２６は、圏内とされているものがあると判定された場合、圏内とされているオペレータを優先検索候補に設定する。
【０１０４】
携帯端末装置１００は、ステップＳ１４０８により設定された優先検索候補とされたオペレータから周波数測定を行う（ステップＳ１４１０）。例えば、通信制御部１０６は、検索周波数選択部１１２６により設定された優先検索候補とされたオペレータから周波数測定を行う。
【０１０５】
一方、ステップＳ１４０４により現在位置と一定距離以内に圏内情報が取得されている地点があると判定されない場合（ステップＳ１４０４：ＮＯ）携帯端末装置１００は、国データベースを参照し、現在位置に該当する国を識別する（ステップＳ１４１２）。例えば、検索周波数選択部１１２６は、国データベースを参照し、現在位置と一定距離以内の代表地点に対応する国を検索することにより、在圏している国を識別する。
【０１０６】
携帯端末装置１００は、オペレータデータベースを参照し、ステップＳ１４１２により識別した国で運用されているオペレータ情報を取得し、該オペレータが運用している周波数帯を特定する（ステップＳ１４１４）。例えば、検索周波数選択部１１２６は、オペレータデータベースを参照し、ステップＳ１４１２により識別した国で無線通信サービスを提供しているオペレータ情報を取得し、該オペレータが無線通信サービスを提供する運用周波数帯を特定する。検索周波数選択部１１２６は、該運用周波数帯を優先検索候補に設定する。
【０１０７】
携帯端末装置１００は、ステップＳ１４１４により設定された運用周波数帯から周波数測定を行う（ステップＳ１４１６）。例えば、通信制御部１０６は、検索周波数選択部１１２６により設定された運用周波数帯から周波数測定を行う。
【０１０８】
ステップＳ１４０６により圏内情報に、圏内とされているものがないと判定された場合（ステップＳ１４０６：ＮＯ）、本携帯端末装置１００は、圏内とされていないオペレータの圏内率を比較する（ステップＳ１４１８）。例えば、検索周波数選択部１１２６は、圏内とされているオペレータがないと判定した場合、圏内とされていないオペレータの圏内率を比較する。
【０１０９】
携帯端末装置１００は、圏内とされていないオペレータのうち、圏内率の高いオペレータ順に優先検索候補に設定する（ステップＳ１４２０）。例えば、検索周波数選択部１１２６は、圏内とされているオペレータがないと判定した場合、圏内とされていないオペレータのうち、圏内率の高いオペレータ順に優先検索候補に設定する。
【０１１０】
携帯端末装置１００は、圏内率の高いオペレータ順に優先検索候補に設定した後、ステップＳ１４１０の処理を行う。例えば、通信制御部１０６は、検索周波数選択部１１２６により設定された優先検索候補とされたオペレータから周波数測定を行う。
【０１１１】
本実施例において、圏外から圏内に復帰する際に、ステップＳ１４０４からステップＳ１４２０の処理が行われるようにしてもよい。
【０１１２】
本実施例によれば、電源が投入された際又は圏外から圏内に復帰する際に、携帯端末装置に格納された位置情報と圏内情報とに基づいて、圏内情報が圏内とされているオペレータから周波数測定を行うことができるため、サービスが提供されている可能性が高いオペレータから周波数測定を行うことができる。サービスが提供されている可能性が高いオペレータから周波数測定を行うことができるため、電源が投入されてから圏内となるまでの時間を短縮でき、サービスを向上させることができる。また、周波数測定すべきオペレータを制限できるため、消費電力を低減できる。
【０１１３】
さらに、過去に、圏内とされたオペレータがない場合でも、圏内率の高いオペレータ順に周波数測定を行うことができるため、サービスが提供されている可能性が高いオペレータから周波数測定を行うことができる。圏内率の高いオペレータの方が、カバーする範囲が広いと想定されるためである。
【０１１４】
また、本変形例と、変形例（その１）とを組み合わせるようにしてもよい。該組み合わせによりオペレータ毎に、圏内情報と無線品質の情報とを取得できる。圏内情報と無線品質の情報とを取得できるため、圏内率に基づいて、オペレータを優先検索候補に設定する際に、圏内率が同じオペレータが複数ある場合には、無線品質のよいオペレータから優先検索候補に設定することができる。さらに、サービスが提供されている可能性が高いオペレータが複数ある場合に、無線品質のよいオペレータから周波数測定を行うことができるため、電源が投入されてから圏内となるまでの時間をさらに短縮できる。
【０１１５】
＜第２の実施例＞
＜システム＞
図１５は、本携帯端末装置１００が適用されるシステムを示す。
【０１１６】
該システムには、携帯端末装置１００ｍ（ｍは、ｍ＞０の整数）が含まれる。図１５には、一例として、ｍ＝５の例が示される。該システムには、基地局２００が含まれる。該システムには、GPS(Global Positioning System)衛星３００ｌが含まれる。
【０１１７】
本携帯端末装置１００は、GPS受信装置１１４を有する。該GPS受信装置１１４は、GPS衛星３００ｌにより送信される測位信号に基づいて、測位を行う。
【０１１８】
さらに、該システムには、サーバ装置４００が含まれる。該サーバ装置４００と基地局２００とは、通信網３５０を介して接続される。該通信網３５０には、インターネット、コンテンツプロバイダにより提供されるネットワークが含まれる。
【０１１９】
＜本携帯端末装置＞
本携帯端末装置１００は、図３により説明される。
【０１２０】
＜本携帯端末装置の機能＞
本携帯端末装置１００により実行される処理には、上述した実施例及び変形例（その１−３）のいずれかの処理に加え、当該携帯端末装置１００により記憶部１１０に格納されるべきエリア判定情報をサーバ装置４００に通知する処理が含まれる。各格納されるべきエリア判定情報は記憶部１１０にも格納される。本実施例では、一例として、オペレータ毎に、位置情報と、圏内情報とが通知される場合について説明する。さらに、無線品質が通知されてもよい。
【０１２１】
また、携帯端末装置１００により実行される処理には、サーバ装置４００に格納されたエリア判定情報を取得し、該取得したエリア判定情報に基づいて、当該携帯端末装置１００の記憶部１１０に格納されているエリア判定情報を更新する処理が含まれる。サーバ装置４００からエリア判定情報を取得する場合、当該携帯端末装置１００により取得された情報以外の情報を取得するのが好ましい。
【０１２２】
図１６は、本携帯端末装置１００の機能を示す機能ブロック図である。図１６には、中央演算処理装置１０２により実行される機能が主に示される。図１６に示される各機能ブロックは、バス１１２０により接続される。
【０１２３】
本携帯端末装置１００は、図１１に示される機能ブロック図に、情報通知部１１３２と、情報更新部１１３４とを加えたものである。
【０１２４】
情報通知部１１３２は、記憶部１１０に格納されたエリア判定情報をサーバ装置４００に送信する。ユーザが入力部１０２を操作することによりアップロードされるようにしてもよいし、記憶部１１０に該エリア判定情報が格納される際に、アップロードするようにしてもよい。記憶部１１０に該エリア判定情報が格納される際に、アップロードすることにより、最新のエリア判定情報を送信できる。
【０１２５】
サーバ装置４００には、複数の携帯端末装置により送信されるエリア判定情報が格納される。サーバ装置４００は、複数の携帯端末装置により送信されるべき圏内情報に基づいて、圏内率を算出するようにしてもよい。
【０１２６】
図１７は、サーバ装置４００に格納されるべきエリア判定情報の一例を示す。
【０１２７】
サーバ装置４００には、複数の携帯端末装置により取得されるべき位置情報（地点）と、該位置情報に対応する在圏すべきエリアの圏内情報と、該位置情報に対応する非在圏エリアの圏内情報とがオペレータ毎に格納される。図１７には示されていないが、圏内と判定された場合には、該圏内と判定された際に周波数測定に使用された周波数情報も記録される。圏内と判定されない場合には、該圏内と判定されない際に周波数測定に使用された周波数情報も記録されてもよい。
【０１２８】
サーバ装置４００は、圏内情報に基づいて、オペレータ毎に、圏内率を求める。サーバ装置４００は、国毎に、図１７に示されるエリア判定情報を格納してもよい。
【０１２９】
情報更新部１１３４は、サーバ装置４００に格納されたエリア判定情報を取得し、当該携帯端末装置１００の記憶部１１０に格納する。格納する場合、記憶部１１０に、同様の情報が既に存在する場合には、更新するようにしてもよい。
【０１３０】
検索周波数選択部１１２６は、記憶部１１０に記録されたエリア判定情報に基づいて、現在位置から一定距離以内の位置に対応する圏内情報がない場合、圏内率の高いオペレータを、周波数検索の際に優先すべきオペレータとして選択する。
【０１３１】
＜本携帯端末装置の動作＞
本携帯端末装置の動作は、図１３、及び図１４と同様である。
【０１３２】
図１８は、本携帯端末装置１００が、記録部１１０に記録されたエリア判定情報を更新する処理を示すフローチャートである。
【０１３３】
ユーザが入力部１０２を操作することにより、サーバ装置４００にエリア判定情報のダウンロードを要求する（ステップＳ１８０２）。
【０１３４】
本携帯端末装置１００は、サーバ装置４００からエリア判定情報を取得する（ステップＳ１８０４）。例えば、情報更新部１１３４は、サーバ装置４００にアクセスし、該サーバ装置４００に格納されたエリア判定情報を取得する。該取得の際に、国情報を通知し、該国に該当する情報を取得するようにしてもよい。国情報を通知し、該国に該当するエリア判定情報を取得することにより、携帯端末装置１００が位置していない国に該当するエリア判定情報を事前に取得できる。事前にエリア判定情報を取得できるため、該国においてエリア判定情報を蓄積することなくサービスが提供されている可能性が高いオペレータから周波数測定を行うことができる。
【０１３５】
携帯端末装置１００は、記録部１１０に記録されたエリア判定情報を更新する（ステップＳ１８０６）。例えば、情報更新部１１３４は、ステップＳ１８０２により取得されたエリア判定情報に基づいて、記憶部１１０に格納されているエリア判定情報を更新する。
【０１３６】
図１９は、本携帯端末装置１００が、記録部１１０に記録されたエリア判定情報をサーバ装置４００に通知する処理を示すフローチャートである。
【０１３７】
ユーザが入力部１０２を操作することにより、サーバ装置４００にエリア判定情報のアップロードを要求する（ステップＳ１９０２）。
【０１３８】
本携帯端末装置１００は、サーバ装置４００にエリア判定情報を送信する（ステップＳ１９０４）。例えば、情報通知部１１３２は、サーバ装置４００にアクセスし、記憶部１１０に格納されたエリア判定情報をアップロードする。該アップロードの際に、前回通知したエリア判定情報との差分を通知するようにしてもよい。また、通知すべきエリア判定情報を選択できるようにしてもよい。
【０１３９】
本実施例によれば、電源が投入された際又は圏外から圏内に復帰する際に、携帯端末装置に格納された位置情報と圏内情報と、サーバ装置から取得したエリア判定情報に基づいて、圏内情報が圏内とされているオペレータから周波数測定を行うことができるため、サービスが提供されている可能性が高いオペレータから周波数測定を行うことができる。サービスが提供されている可能性が高いオペレータから周波数測定を行うことができるため、電源が投入されてから圏内となるまでの時間を短縮でき、サービスを向上させることができる。また、周波数測定すべきオペレータを制限できるため、消費電力を低減できる。
【０１４０】
さらに、過去に、圏内とされたオペレータがない場合でも、圏内率の高いオペレータ順に周波数測定を行うことができるため、サービスが提供されている可能性が高いオペレータから周波数測定を行うことができる。圏内率の高いオペレータの方が、カバーする範囲が広いと想定されるためである。さらに、他の携帯端末装置により取得されたエリア判定情報に基づいて、圏内率の高いオペレータ順に周波数測定を行うことができるため、さらにサービスが提供されている可能性が高いオペレータから周波数測定を行うことができる。
【０１４１】
また、本変形例と、変形例（その１）とを組み合わせるようにしてもよい。該組み合わせによりオペレータ毎に、圏内情報と無線品質の情報とを取得できる。圏内情報と無線品質の情報とを取得できるため、圏内率に基づいて、オペレータを優先検索候補に設定する際に、圏内率が同じオペレータが複数ある場合には、無線品質のよいオペレータから優先検索候補に設定することができる。さらに、サービスが提供されている可能性が高いオペレータが複数ある場合に、無線品質のよいオペレータから周波数測定を行うことができるため、電源が投入されてから圏内となるまでの時間をさらに短縮できる。
【０１４２】
上述した実施例、及び変形例において、位置情報は、GPS受信装置以外から取得してもよい。例えば、ユーザにより入力されるようにしてもよい。例えば、ユーザにより取得された東経、北緯、高度が入力されてもよい。また、携帯端末装置に、自立航法ユニットを有するようにしてもよい。該自律航法ユニットには、ジャイロ、加速度センサーなどが含まれる。ジャイロや加速度センサーなどにより、当該携帯端末装置の位置測定を行うことができる。また、他の通信手段を経由して取得してもよい。例えば、無線LANにより他の通信装置から取得してもよい。位置情報をGPS受信装置以外から取得することにより、GPS衛星からの測位信号を受信できない位置でも、位置情報を取得できる。
【０１４３】
本実施例によれば、位置情報を取得する携帯端末装置が提供される。
【０１４４】
該携帯端末装置は、
前記位置情報を取得した際に、該位置における当該携帯端末装置に設定されたオペレータの周波数を測定する通信制御部としての、周波数測定部と、
該周波数測定部による当該携帯端末装置に設定されたオペレータの周波数測定に基づいて、圏内かどうかを判定するエリア判定部と、
前記位置情報と、該位置情報に対応する位置における前記エリア判定部による判定結果とを対応付けて記録する記録部と
を有する。
【０１４５】
位置情報と、該位置における在圏すべきオペレータの圏内情報とを対応付けて記録できる。
【０１４６】
さらに、
前記エリア判定部により圏内であると判定された位置における無線品質を測定する無線品質測定部
を有し、
前記記録部は、前記位置情報と、該位置における前記エリア判定部による判定結果と、前記無線品質測定部により測定された無線品質とを対応付けて記録する。
【０１４７】
位置情報と、該位置における在圏すべきオペレータの圏内情報と、無線品質とを対応付けて記録できる。
【０１４８】
さらに、
前記周波数測定部は、前記位置情報を取得した際に、該位置における当該携帯端末装置に設定されたオペレータ以外の周波数を測定し、
前記エリア判定部は、前記周波数測定部により当該携帯端末装置に設定されたオペレータ以外のオペレータの周波数測定に基づいて、圏内かどうかを判定し、
前記記録部は、前記位置情報と、該位置における前記エリア判定部による当該携帯端末装置に設定されたオペレータの判定結果、及び当該携帯端末装置に設定されたオペレータ以外の判定結果とを対応付けて記録する記録部と
を有する。
【０１４９】
位置情報と、該位置における在圏すべきオペレータ及び在圏すべきオペレータ以外のオペレータの圏内情報とを対応付けて記録できる。さらに、無線品質をも対応付けて記録できる。
【０１５０】
さらに、
オペレータ毎に、圏内であった割合を求める統計処理部
を有する。
【０１５１】
圏内情報に基づいて、圏内であった割合をオペレータ毎に求めることができる。
【０１５２】
さらに、
前記記録部に記録された情報に基づいて、優先して測定すべき周波数を決定する検索周波数選択部
を有する。
【０１５３】
携帯端末装置に格納された位置情報と圏内情報とに基づいて、優先して測定すべき周波数を決定することができる。
【０１５４】
さらに、
前記検索周波数選択部は、現在位置から一定距離以内の位置情報に対応する前記エリア判定部による判定結果のうち、圏内と判定された周波数を優先して測定すべき周波数とする。
【０１５５】
携帯端末装置に格納された位置情報と圏内情報とに基づいて、圏内情報が圏内とされているオペレータから周波数測定を行うことができる。
【０１５６】
さらに、
オペレータ毎に、圏内であった割合を求める統計処理部
を有し、
前記検索周波数選択部は、現在位置から一定距離以内の位置情報が無い場合、前記圏内率算出部により算出された圏内率のうち、該圏内率が高いオペレータの周波数順に優先して測定すべき周波数とする。
【０１５７】
圏内とされたオペレータがない場合でも、圏内率の高いオペレータ順に周波数測定を行うことができるため、サービスが提供されている可能性が高いオペレータから周波数測定を行うことができる。
【０１５８】
さらに、
サーバ装置から、他の携帯端末装置に記録された位置情報と、該位置情報に対応する位置におけるオペレータの周波数測定に基づく、圏内かどうかの判定結果とを取得する取得部
を有し、
前記検索周波数選択部は、前記取得部により取得された情報に基づいて、優先して測定すべき周波数を決定する。
【０１５９】
他の携帯端末装置により取得された圏内情報に基づいて、優先して測定すべき周波数を決定することができる。
【０１６０】
本実施例によれば、携帯端末装置から位置情報を受信するサーバ装置が提供される。
【０１６１】
該サーバ装置は、
前記携帯端末装置から、前記位置情報とともに、該位置における前記携帯端末装置に設定されたオペレータの周波数測定に基づいて判定された圏内かどうかの判定結果を取得する判定結果取得部と、
該判定結果取得部により取得された判定結果に基づいて、圏内であった割合を求める統計処理部と
を有し、
前記携帯端末装置は、位置情報を取得し、該位置情報を取得した際に、該位置における前記携帯端末装置に設定されたオペレータの周波数を測定し、該周波数測定に基づいて、圏内かどうかを判定し、前記位置情報と、該位置における前記携帯端末装置に設定されたオペレータの周波数測定に基づいて判定された圏内かどうかの判定結果とを送信する。
【０１６２】
説明の便宜上、発明の理解を促すため具体的な数値例を用いて説明されるが、特に断りのない限り、それらの数値は単なる一例に過ぎず適切な如何なる値が使用されてよい。
【０１６３】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１６４】
１００ｍ（ｍは、ｍ＞０の整数）  携帯端末装置
１０２  入力部
１０４  出力部
１０６  通信制御部
１０８  無線部
１１０  記憶部
１１２  中央演算処理装置(CPU: Central Processing Unit)
１１２２  位置情報取得部
１１２４  エリア判定部
１１２６  検索周波数選択部
１１２８  無線品質取得部
１１３０  統計処理部
１１３２  情報通知部
１１３４  情報更新部
１１４  GPS受信装置
２００ｎ（ｎは、ｎ＞０の整数）  基地局
３００ｌ（ｌは、ｌ＞０の整数）  GPS衛星
３５０  通信網
４００  サーバ装置
【図１】
2011217266.tif 000003
【図２】
2011217266.tif 000004
【図３】
2011217266.tif 000005
【図４】
2011217266.tif 000006
【図５】
2011217266.tif 000007
【図６】
2011217266.tif 000008
【図７】
2011217266.tif 000009
【図８】
2011217266.tif 000010
【図９】
2011217266.tif 000011
【図１０】
2011217266.tif 000012
【図１１】
2011217266.tif 000013
【図１２】
2011217266.tif 000014
【図１３】
2011217266.tif 000015
【図１４】
2011217266.tif 000016
【図１５】
2011217266.tif 000017
【図１６】
2011217266.tif 000018
【図１７】
2011217266.tif 000019
【図１８】
2011217266.tif 000020
【図１９】
2011217266.tif 000021